【事件の表示】
　特願２０００−１０２２７９「磁気ヘッド」拒絶査定不服審判事件〔平成１３年１０月１９日出願公開、特開２００１−２９１２０７〕について、次のとおり審決する。
【結　論】
　本件審判の請求は、成り立たない。
【理　由】
１　手続の経緯、本願発明
　本願は、平成１２年４月４日の出願であって、平成１５年１０月３１日付けで拒絶査定がされ、これに対し、平成１５年１２月５日に審判請求がされるとともに、平成１５年１２月２６日付けで手続補正がなされたものである。
　平成１５年１２月２６日付け手続補正は、補正前の請求項１を削除し、補正前の請求項３を独立形式で記載したものを請求項１として項番号を繰り上げるものであるので、特許法第１７条の２第４項第１号に規定する特許請求の範囲の請求項の削除を目的とするものに該当する。
　本願の請求項１乃至３に係る発明は、平成１５年１２月２６日付け手続補正書により補正された明細書及び図面の記載からみて、それぞれ本願特許請求の範囲の請求項１乃至３に記載された事項により特定されるとおりのものであるところ、その請求項１に記載された発明（以下、「本願発明」という。）は次のとおりである。
　「【請求項１】磁気記録媒体と摺動し、摺動側部分に形成した複数個の孔に、作動ギャップを有した記録密度の異なる複数個の磁気コアをそれぞれ収納保持するスライダーと、
　前記磁気コアに接合して閉磁路を形成すると共に、前記スライダーを保持し、かつ前記複数個の磁気コアにそれぞれ対応して設けた複数本の脚部にそれぞれコイルを装着したバックヨークとを備え、
　該バックヨークは、前記脚部を垂設し、前記スライダーに沿う略板状のバックヨーク本体と、
　該バックヨーク本体の外周部に垂設されて前記スライダーに接合される外周壁部とを備えて軟磁性材料で一体成形され、
　前記外周壁部に、少なくとも前記複数個のコイルの引出し線の数の切欠を形成したことを特徴とする磁気ヘッド。」
　
２　引用例
（１）　原査定の拒絶の理由で引用された特開平１０−４０５２６号公報（以下「引用例１」という。）には、磁気ヘッドに関して次の事項が記載されている。（なお、下線は当審で付加したものである。）
　（ア）「【請求項１】　
作動ギャップを有する略板状のコア前部体と、該コア前部体との一体化により一面側が磁気記録媒体に摺動するフロントコアを構成するスライダーと、前記フロントコアの他面側に接合されるバックヨークとを備え
　前記バ
ックヨークは、前記コア前部体と共に前記作動ギャップに対応した磁気回路を形成するバックコアと、該バックコアと一体化される磁性材料製のシールド部とからなり
　
前記バックコアは、先端側が前記コア前部体に接合して前記磁気回路の磁路の一部を形成し、かつコイルが嵌装される脚部と、該脚部を垂設するように該脚部の基端側に連接された平板状の基板とからなり
　
前記シールド部は、基板の周縁部に沿うように基板に垂設された、前記コイルを取り囲む略環状の側壁部を有し
　前記基板の前記脚部の近傍に、前記脚部に接合された前記コア前部体と平行して延びる
スリットを形成した
　　【請求項２】　コイルのリード線をスリットから引き出すことを特徴とする請求項１記載の磁気ヘッド。」（特許請求の範囲の請求項１、２）
　（イ）「【０００１】　【発明の属する技術分野】本発明は、フロッピーディスクドライブ（ＦＤＤ）等に用いられる磁気ヘッドに関する。」（段落１）
　（ウ）「【００２０】　（前略）フロントコア２Ａは、略矩形をなし、一面側が磁気記録媒体に摺動し該一面側に凹溝１８を有する
コア本体（スライダー）３０と
コア本体３０に形成された孔（符号省略）に嵌合してコア本体３０と一体化される複合コア８
　（エ）「【００２５】　基板２３における第１、第２、第３の脚部１９，２０，２１の両側部分には、図５及び図４に示すように、第１、第２、第３の脚部１９，２０，２１の配列方向（ひいては第１、第２、第３の脚部１９，２０，２１に接合された複合コア８）と平行して延びる
スリット３１，３１が形成されていると共に、第３、第４の側壁部２２ｃ，２２ｄにはスリット３１，３１に連接して深溝３２，３２が形成されている
　（オ）第１の実施の形態の磁気ヘッドの組み立て状態を示す斜視図である図２には、スリット３１に連接して形成されている深溝３２から、コイルのリード線が引き出されている状態が図示されている。
　
（２）　同じく引用された実願平２−２８３９３号（実開平３−１２１５０７号）のマイクロフィルム（以下「引用例２」という。）には、次の事項が記載されている。
　（カ）「
強磁性体の複数のコアを接合一体化して、その上面に磁気ギャップを形成した薄板状で、記録密度が異なる複数のコアチップ
所定間隔で平行に対向配置された前記複数のコアチップを挟んで一体化する複数の非磁性体のスライダ
　（キ）「第１図乃至第３図に示す磁気ヘッドは、１〜２メガバイトの低記録密度用の第１コアチップ（１０）と、１０〜１２メガバイトの高記録密度用の第２コアチップ（１１）と、両コアチップ（１０）（１１）の側面に接合一体化された３つの非磁性体のスライダ（１２）（１３）（１４）と（中略）とを有し、以下、各部分の具体例を説明する。」（明細書９頁末行〜１０頁１３行）
　
３　対比・判断
（１）対比
　本願発明と引用例１に記載された発明とを対比する。
　引用例１には、上記２（ア）（ウ）（エ）（下線部参照）に摘示した記載事項によれば、
　「作動ギャップを有する略板状のコア前部体と、該コア前部体との一体化により一面側が磁気記録媒体に摺動するフロントコアを構成するスライダーと、前記フロントコアの他面側に接合されるバックヨークとを備え、
　前記バックヨークは、前記コア前部体と共に前記作動ギャップに対応した磁気回路を形成するバックコアと、該バックコアと一体化される磁性材料製のシールド部とからなり、
　前記バックコアは、先端側が前記コア前部体に接合して前記磁気回路の磁路の一部を形成し、かつコイルが嵌装される脚部と、該脚部を垂設するように該脚部の基端側に連接された平板状の基板とからなり、
　前記シールド部は、基板の周縁部に沿うように基板に垂設された、前記コイルを取り囲む略環状の側壁部を有した磁気ヘッドであって、
　前記コア前部体は、スライダーに形成された孔に嵌合してスライダーと一体化され、
　前記基板にスリットが形成され、
　側壁部に、スリットに連接して深溝が形成されている磁気ヘッド。」
　の発明が記載されている。
　
　引用例１の「コア前部体」「側壁部」は、それぞれ本願発明の「磁気コア」「外周壁部」に相当している。
　引用例１に記載された発明の「スライダー」は、「作動ギャップを有する略板状のコア前部体と、該コア前部体との一体化により一面側が磁気記録媒体に摺動するフロントコアを構成する」もので、「前記コア前部体は、スライダーに形成された孔に嵌合してスライダーと一体化され」ているので、「磁気記録媒体と摺動し、摺動側部分に形成した孔に、作動ギャップを有した磁気コアを収納保持するスライダー」であるといえる。
　引用例１に記載された発明の「バックヨーク」は、「フロントコアの他面側に接合される」もので、「コア前部体と共に作動ギャップに対応した磁気回路を形成するバックコア」を備え、「バックコア」は、「先端側が前記コア前部体に接合して前記磁気回路の磁路の一部を形成し、かつコイルが嵌装される脚部」と、「該脚部を垂設するように該脚部の基端側に連接された平板状の基板」とからなるものであるから、「磁気コアに接合して閉磁路を形成すると共に、スライダーを保持し、かつ磁気コアに対応して設けた複数本の脚部にコイルを装着したバックヨーク」であるといえる。
　引用例１に記載された発明の「バックヨーク」は、「バックコア」と「該バックコアと一体化される磁性材料製のシールド部」とからなり、「バックコア」が「コイルが嵌装される脚部」と「該脚部を垂設するように該脚部の基端側に連接された平板状の基板」とからなり、該「シールド部」が「基板の周縁部に沿うように基板に垂設された、前記コイルを取り囲む略環状の側壁部を有し」ているので、引用例１に記載された発明の「バックヨーク」は、本願発明の「バックヨークは、脚部を垂設し、スライダーに沿う略板状のバックヨーク本体と、該バックヨーク本体の外周部に垂設されて前記スライダーに接合される外周壁部とを備えて軟磁性材料で一体成形され、」に相当する構成を備えている。
　引用例１に記載された発明において、側壁部にスリットに連接して形成されている深溝は、一種の「切欠」であるといえる。
　してみると、本願発明と引用例１に記載された発明は、
　「磁気記録媒体と摺動し、摺動側部分に形成した孔に、作動ギャップを有した磁気コアを収納保持するスライダーと、
　前記磁気コアに接合して閉磁路を形成すると共に、前記スライダーを保持し、かつ磁気コアに対応して設けた複数本の脚部にコイルを装着したバックヨークとを備え、
　該バックヨークは、前記脚部を垂設し、前記スライダーに沿う略板状のバックヨーク本体と、
　該バックヨーク本体の外周部に垂設されて前記スライダーに接合される外周壁部とを備えて軟磁性材料で一体成形され、
　前記外周壁部に、切欠を形成した磁気ヘッド。」
　である点で一致しており、以下の点で相違している。
　（相違点１）　本願発明では、「記録密度の異なる複数個の」磁気コアを備え、該磁気コアを「複数個の」孔に「それぞれ」収納保持し、「複数個の」磁気コアに「それぞれ」対応して設けた複数本の脚部に「それぞれ」コイルを装着することを特定しているのに対し、引用例１に記載された発明では、磁気コアが１個のものについて記載されている点。
　（相違点２）　切欠の数について、本願発明では、「少なくとも前記複数個のコイルの引出し線の数」と特定しているのに対し、引用例１に記載された発明では、そのような特定がない点。
　
（２）相違点についての判断
（相違点１について）
　引用例１に記載された発明の磁気ヘッドのようなフロッピーディスクドライブ（ＦＤＤ）等に用いられる磁気ヘッドの技術分野において、１つのスライダーに記録密度が異なる複数のコアを一体化して設けることが引用例２に記載され公知であるから、引用例１に記載された発明の磁気ヘッドにおいて、記録密度が異なる複数のコアを複数の孔に収納保持して一体化させ、複数化に伴ってバックヨークの脚部及びコイルをそれぞれ対応して備えるようにすることは、当業者が容易になし得ることである。
（相違点２について）
　配線と、これを案内する溝や凹部や隙間等の数を一致させて、１つの溝や凹部や隙間等に１本の配線を行うことにより配線の作業性をよくすることは、周知の事項である。例えば、特公昭６１−５５１６９号公報（第９図、第１３図の案内溝１４）、特開昭６１−１９８４０７号公報（第７図の溝２０ｇ２１ｇ）、特開昭６１−９０３０９号公報、特開昭６２−３６７０７号公報にも示されている。
　引用例１に記載された発明の磁気ヘッドにおいて、その切欠は、コイルの引出し線を引出す役割も備えているところ、切欠の数を少なくとも前記複数個のコイルの引出し線の数とすることは、上記周知の事項に基づき当業者が必要に応じ適宜なし得ることである。
　そして、上記相違点１及び２を総合的に検討しても、本願発明の効果は、引用例１、２に記載された発明及び周知の事項から当業者であれば予測される範囲内であり、格別顕著なものではない。
　なお、請求人は、引用例１に記載されたスリットは、リード線をスリットに挿通させる際、周囲の干渉を受けないように注意を払うことが必要となるのに対し、本願発明のように外周壁に切欠を設けるのであれば、コイルのバックコアへの装着時にリード線を切欠に置くようにして配置することができ周囲の干渉が少なくてリード線の配置を行えるので、生産性が良い旨の主張をしているが、引用例１に記載されたスリットに連接する深溝は、本願発明の外周壁部に形成した切欠である点で一致しており、請求人の主張は特許請求の範囲の記載に基づかないものである。また、本願の図１のような切欠（外周壁部の、スライダーと接合される端部から切り欠いたもの）の形状は、周知であって、本願の第９図、第１０図に従来例としても図示され、同様のものが特開平１０−４０５２５号公報、特開平１０−１５４３１９号公報、特開平１１−３１６９３０号公報に図示されているほか、上記特開昭６１−９０３０９号公報、上記特開昭６２−３６７０７号公報にも、同様の切欠の形状が示されている。よって、請求人の主張は採用することができない。
　
４　むすび
　したがって、本願発明は、本願出願前に頒布された引用例１、２に記載された発明及び周知の事項に基いて当業者が容易に発明をすることができたものであるから、特許法第２９条第２項の規定により特許を受けることができない。他の請求項を検討するまでもなく、本願は拒絶すべきものである。
　よって、結論のとおり審決する。